(57)【要約】【課題】  横型ブラインドの巻き取りドラムにスリップ可能に外嵌されてラダーコード又はラダーテープを支持するラダークランプの左右方向位置を規定する。【解決手段】  ラダークランプを、前後方向の中央において左右に延長するピンを介して相互回動自在に連結される前側及び後側円弧状板部から形成し、前側及び後側円弧状板部の外周面にラダーコード又はラダーテープの前側及び後側上端部をそれぞれ係止する前側及び後側係止溝を有する前側及び後側係止突起を設け、内周面に巻き取りドラムの外周面の雄ねじと係合する雌ねじを設けることを特徴とする。【選択図】      図２
2006097302.tif 000002
【特許請求の範囲】
【請求項１】
横型ブラインドのドラムホルダーに支持される巻き取りドラムにスリップ可能に外嵌されてラダーコード又はラダーテープを支持するラダークランプであって、前記ラダークランプは、半円より大きい開環状であり、前後方向の中央において左右に延長するピンを介して相互回動自在に連結される前側及び後側円弧状板部からなり、前記前側及び後側円弧状板部は、外周面に前記ラダーコード又はラダーテープの前側及び後側上端部を係止する前側及び後側係止突起を備え、内周面に前記巻き取りドラムの外周面の雄ねじと係合する雌ねじを備えることを特徴としてなる横型ブラインドのラダークランプ。
【請求項２】
前側及び後側係止突起はそれぞれ係止溝を有することを特徴としてなる請求項１に記載の横型ブラインドのラダークランプ。
【請求項３】
前側及び後側円弧状板部は、係止突起の下方から周方向に延長して下縁に抜けるリットを備えることを特徴としてなる請求項１又は２に記載の横型ブラインドのラダークランプ。
【請求項４】
前側及び後側円弧状板部は、係止突起の近くから延長してスリットの上部を左右から囲む２本の案内突起を備えることを特徴としてなる請求項３に記載の横型ブラインドのラダークランプ。
【請求項５】
雌ねじはスリットより左側又は右側の部分に形成されることを特徴としてなる請求項３又は４に記載の横型ブラインドのラダークランプ。
【請求項６】
雌ねじは２ないし４ピッチ分形成されることを特徴としてなる請求項１なし５にいずれか１つに記載の横型ブラインドのラダークランプ。
【発明の詳細な説明】
【技術分野】
【０００１】
本発明は、横型ブラインドの巻き取りドラムに外嵌されてラダーコード又はラダーテープを支持するラダークランプに関する。
【背景技術】
【０００２】
横型ブラインドのスラット列を吊り下げるラダーコード又はラダーテープの上端部は、ヘッドボックス内において回転軸と一体回転する巻き取りドラム又はチルトドラムにスリップ可能に外嵌されるラダークランプに取り付けられる。ラダークランプを前後の中央においてピンを介して相互回動自在に連結される前側及び後側円弧状板部から形成し、その外周面に周方向に延長する突起を設け、その突起にラダーコード又はラダーテープの前側及び後側上端部を係止する係止溝を設けることは公知である。
【０００３】
ラダークランプをチルトドラムに外嵌するときは、チルトドラム外周面に環状溝を形成しその環状溝にラダークランプを嵌め込むと、ラダークランプの左右方向位置は規定される。しかし、巻き取りドラムにラダークランプを外嵌するときは、環状溝を形成することができないため、ラダークランプの左右方向位置は規定されない。その結果、ラダーコード又はラダーテープに左右方向の外力が作用すると、ラダーコード又はラダーテープと共にラダークランプの位置が左右に移動するため、ラダーコード又はラダーテープの左右方向位置が不安定になるという問題がある。
【特許文献１】実公平５−２４７９６号公報
【特許文献２】特開２００４−２３８８２１号公報
【発明の開示】
【発明が解決しようとする課題】
【０００４】
本発明は、上記問題を解決するためになされたものであり、その課題は、横型ブラインドの巻き取りドラムにスリップ可能に外嵌されてラダーコード又はラダーテープを支持するラダークランプの左右方向位置を規定することである。
【課題を解決するための手段】
【０００５】
前記課題を達成するため、本発明は、横型ブラインドのドラムホルダーに支持される巻き取りドラムにスリップ可能に外嵌されてラダーコード又はラダーテープを支持するラダークランプにおいて、半円より大きい開環状のラダークランプを、前後方向の中央において左右に延長するピンを介して相互回動自在に連結される前側及び後側円弧状板部から形成し、前側及び後側円弧状板部の外周面にラダーコード又はラダーテープの前側及び後側上端部をそれぞれ係止する前側及び後側係止溝を有する前側及び後側係止突起を設け、内周面に巻き取りドラムの外周面の雄ねじと係合する雌ねじを設けることを特徴とする。
【発明の効果】
【０００６】
本発明のラダークランプは、前後方向の中央において連結する前側及び後側円弧状板部を開いて巻き取りドラムに外嵌すると、前側及び後側円弧状板部の内周面の雌ねじは巻き取りドラム外周面の雄ねじに自動的に嵌り込む。ラダークランプは、内周面の雌ねじが巻き取りドラム外周面の雄ねじとネジ係合するため、左右方向位置が規定される。したがって、ラダーコード又はラダーテープに左右方向の外力が作用しても、ラダークランプは左右に移動しないから、外力が去ると、ラダーコード又はラダーテープは自動的に原位置に復帰する。これにより、ラダーコード又はラダーテープの左右方向位置は常に安定する。
【０００７】
巻き取りドラムが回転するとき、ラダークランプは、始め、巻き取りドラムと共に回転し、ラダーコード又はラダーテープの前後の一方を上昇し他方を下降させるから、スラットは前傾又は後傾する。スラットが前傾限度に近づくと、ラダークランプが開いて前側円弧状板部が巻き取りドラムから外れてスリップし、逆に、スラットが後傾限度に近づくと、ラダークランプが開いて後側円弧状板部が巻き取りドラムから外れてスリップするから、スラットが限度以上に傾斜することはない。
【発明を実施するための最良の形態】
【０００８】
ヘッドボックスから垂下するラダーコード又はラダーテープ上端部の前後間隔をできるだけ狭くするため、前側及び後側円弧状板部には係止突起の下方から周方向に延長して下縁に抜けるスリットを設け、そのスリットにラダーコード又はラダーテープの上端部を通し、巻き取りドラムに接して垂下させることが好ましい。
【０００９】
スリットの上部を左右から囲むと共に係止突起近くまで延長するの２本の案内突起を設け、その案内突起によりラダーコード又はラダーテープの上端部をスリットに案内することが好ましい。ラダークランプに形成する雌ねじは２ないし４ピッチ分とすることができる。
【実施例】
【００１０】
本発明を図面に示す実施例に基づいて説明する。図１は本発明実施例を備える横型ブラインドの要部を示す部分切り欠き正面図、図２は図１のＩＩ−ＩＩ線矢視図、図３はラダークランプの立面図、図４はラダークランプの側面図、図５は前側円弧状板部の後面図、図６は後側円弧状板部の前面図である。
【００１１】
図１及び図２に示すように、横型ブラインドのヘッドボックス１内において、角軸の回転軸２に巻き取りドラム３が一体回転するが軸方向には摺動自在に取り付けられる。巻き取りドラム３はスリーブ４を貫通し、巻き取りドラム３の外周面の雄ねじＭはスリーブ４の内周面の雌ねじと係合する。スリーブ４はヘッドボックス１に固定されるドラムホルダー５と一体である。
【００１２】
昇降コード６は、上端が巻き取りドラム３に止着され、ドラムホルダー５に内装される昇降コード弛み検出機構７を介してヘッドボックス１から垂下し、ついで上下に整列するスラット８を貫通し、下端はボトムレール９に止着される。図１において、回転軸２が矢印方向に回転すると、巻き取りドラム３は回転しながら右方移動し、昇降コード６を巻き取るから、ボトムレール９は上昇する。回転軸２が反対方向に回転すると、巻き取りドラム３は回転しながら左方移動し、昇降コード６を巻き解くから、ボトムレール９は下降する。
【００１３】
巻き取りドラム３には半円より大きい開環状のラダークランプ１０が外嵌される。ラダークランプ１０は、前後方向の中央において左右に延長するピン１１を介して相互回動自在に連結される前側及び後側円弧状板部１２ａ、１２ｂから形成される。図３及び図４に示すように、ラダークランプ１０の前側円弧状板部１２ａの外周面上部には、前側係止溝１３ａを有する前側係止突起１４ａが一体に形成され、その下には下縁へ抜ける前側スリット１５ａと、前側係止突起１４ａの近くから下方に延長して前側スリット１５ａの上部を左右から囲む２本の前側案内突起１６ａが形成される。同じく、後側円弧状板部１２ｂの外周面上部には、後側係止溝１３ｂを有する後側係止突起１４ｂが一体に形成され、その下には下縁へ抜ける後側スリット１５ｂと、後側係止突起１４ｂの近くから下方に延長して後側スリット１５ｂの上部を左右から囲む２本の後側案内突起１６ｂが形成される。
【００１４】
前側及び後側円弧状板部１２ａ、１２ｂの内周面には、巻き取りドラムの外周面の雄ねじＭと係合する雌ねじＦを設ける。図５及び図６に示すように、雌ねじＦは２ないし４ピッチとし、前側及び後側円弧状板部１２ａ、１２ｂのスリット１５ａ１５ｂより左側の内周面に形成される。図１において、この雌ねじＦが形成される前側及び後側円弧状板部１２ａ、１２ｂの左側は、ラダークランプ１０がスリ−ブ４に近接する側である。
【００１５】
図２に示すように、ラダーコード１７の前側上端部１７ａは、ラダークランプ１０の前側係止溝１３ａを介して前側係止突起１４ａに止着され、ついで、前側案内突起１６ａに案内されて前側スリット１５ａを通り、ついで、巻き取りドラム３の前面に接しながらドラムホルダー５の前側コード出口に入る。後側上端部１７ｂは、ラダークランプ１０の後側係止溝１３ｂを介して後側係止突起１４ｂに止着され、ついで、後側案内突起１６ｂに案内されて後側スリット１５ｂを通り、ついで、巻き取りドラム３の後面に接しながらドラムホルダー５の後側コード出口に入る。
【００１６】
前側及び後側上端部１７ａ、１７ｂはドラムホルダー５の前側及び後側コード出口を通ると、梯子状に連結して１本のラダーコード１７となり、ヘッドボックス１から垂下して各スラット８を支持する。回転軸２が図１の矢印方向に回転すると、ラダークランプ１０は、始め、巻き取りドラム３と共に回転し、ラダーコード１７の前側上端部１７ａを下げ後側上端部１７ｂを上げるから、スラット８は前傾する。スラット８が前傾限度に近づくと、ラダークランプ１０が開いて前側円弧状板部１２ａが巻き取りドラムから外れてスリップするからスラット８はそれ以上傾斜しない。回転軸２が反対方向に回転すると、ラダークランプ１０は、始め、巻き取りドラム３と共に回転し、ラダーコード１７の前側上端部１７ａを上げ後側上端部１７ｂを下げるから、スラット８は後傾する。スラット８が後傾限度に近づくと、ラダークランプ１０が開いて後側円弧状板部１２ｂが巻き取りドラムから外れてスリップするからスラット８はそれ以上傾斜しない。
【００１７】
ラダークランプ１０は、前側及び後側円弧状板部１２ａ、１２ｂを開いて巻き取りドラム３に外嵌すると、前側及び後側円弧状板部１２ａ、１２ｂの内周面の雌ねじＦが巻き取りドラム３の外周面の雄ねじＭとネジ係合するから、ラダークランプ１０の左右方向位置が規定され、ラダーコードの左右方向位置も安定する。ラダーコード１７に左右方向の外力が作用してラダーコードが左右にずれても、ラダークランプ１０は左右に移動しないから、外力がなくなると、ラダーコード１７は自動的に元の位置に復帰する。
【図面の簡単な説明】
【００１８】
【図１】本発明実施例を備える横型ブラインドの要部を示す部分切り欠き正面図、
【図２】図１のＩＩ−ＩＩ線矢視図、
【図３】ラダークランプの立面図、
【図４】ラダークランプの側面図、
【図５】前側円弧状板部の後面図、
【図６】後側円弧状板部の前面図。
【符号の説明】
【００１９】
１：ヘッドボックス
２：回転軸
３：巻き取りドラム
４：ラダーテープ
５：スリーブ
６：昇降コード
７：昇降コード弛み検出機構
８：スラット
９：ボトムレール
１０：ラダークランプ
１１：ピン
１２ａ：前側円弧状板部、  １２ｂ：後側円弧状板部
１３ａ：前側係止溝、      １３ｂ：後側係止溝
１４ａ：前側係止突起、    １４ｂ：後側係止突起
１５ａ：前側スリット、    １５ｂ：後側スリット
１６ａ：前側案内突起、    １６ｂ：後側案内突起
１７：ラダーコードロール、１７ａ：前側上端部、１７ｂ：後側上端部
Ｆ：雌ねじ
Ｍ：雄ねじ
【図１】
2006097302.tif 000003
【図２】
2006097302.tif 000004
【図３】
2006097302.tif 000005
【図４】
2006097302.tif 000006
【図５】
2006097302.tif 000007
【図６】
2006097302.tif 000008